【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
受信装置との間で、パケット化されたデータを実時間伝送するデータ送信装置であって、
各パケットにシーケンスナンバーを付加するシーケンスナンバー付加手段と、
先に送信したパケットの受信を確認することなく、前記シーケンスナンバーを付加したパケットを送信するパケット送信手段と、
前記パケット送信手段からパケットを受信した前記受信装置が、前記シーケンスナンバーを用いてパケットロスを検出して再送要求を送信した場合に、当該再送要求に応じてパケットを再送するパケット再送手段と、
前記パケット再送手段によって再送されたパケットの受信状況を前記受信装置から受信する受信報告受信手段とを備えた、データ送信装置。
【請求項２】
前記受信報告受信手段は、前記パケット送信手段によって送信されたパケットの受信状況を前記受信装置から受信することを特徴とする、請求項１に記載のデータ送信装置。
【請求項３】
前記受信報告受信手段は、パケットの受信状況として、少なくとも前記受信装置が検出したパケットロス数と前記受信装置が直前に受信したパケットのシーケンスナンバーとを受信し、再送パケットの受信状況として、少なくとも前記受信装置が受信した再送パケットの数を受信することを特徴とする、請求項２に記載のデータ送信装置。
【請求項４】
前記受信報告受信手段は、パケットの受信状況と再送パケットの受信状況とを、１つのパケットに格納された状態で受信することを特徴とする、請求項２に記載のデータ送信装置。
【請求項５】
送信装置との間で、パケット化されたデータを実時間伝送するデータ受信装置であって、
前記送信装置が各パケットにシーケンスナンバーを付加し、先に送信したパケットの受信を確認することなくパケットを送信した場合に、当該パケットを受信するパケット受信手段と、
前記シーケンスナンバーを用いて、前記パケット受信手段におけるパケットロスを検出するパケットロス検出手段と、
前記パケットロス検出手段がパケットロスを検出したときに、再送要求を送信する再送要求送信手段と、
前記送信装置が前記再送要求に応じてパケットを再送した場合に、当該パケットを受信する再送パケット受信手段と、
前記再送パケット受信手段における再送パケットの受信状況を前記送信装置に対して送信する受信報告送信手段とを備えた、データ受信装置。
【請求項６】
前記受信報告送信手段は、前記パケット受信手段におけるパケットの受信状況を前記送信装置に対して送信することを特徴とする、請求項５に記載のデータ受信装置。
【請求項７】
前記受信報告送信手段は、パケットの受信状況として、少なくとも検出したパケットロス数と直前に受信したパケットのシーケンスナンバーとを送信し、再送パケットの受信状況として、少なくとも受信した再送パケットの数を送信することを特徴とする、請求項６に記載のデータ受信装置。
【請求項８】
前記受信報告送信手段は、パケットの受信状況と再送パケットの受信状況とを１つのパケットに格納して送信することを特徴とする、請求項６に記載のデータ受信装置。
【請求項９】
受信側との間で、パケット化されたデータを実時間伝送するデータ送信方法であって、
各パケットにシーケンスナンバーを付加するシーケンスナンバー付加ステップと、
先に送信したパケットの受信を確認することなく、前記シーケンスナンバーを付加したパケットを送信するパケット送信ステップと、
前記パケット送信ステップにおいて送信されたパケットを受信した前記受信側が、前記シーケンスナンバーを用いてパケットロスを検出して再送要求を送信した場合に、当該再送要求に応じてパケットを再送するパケット再送ステップと、
前記パケット再送ステップにおいて再送されたパケットの受信状況を前記受信側から受信する受信報告受信ステップとを備えた、データ送信方法。
【請求項１０】
前記受信報告受信ステップは、前記パケット送信ステップにおいて送信されたパケットの受信状況を前記受信側から受信することを特徴とする、請求項９に記載のデータ送信方法。
【請求項１１】
前記受信報告受信ステップは、パケットの受信状況として、少なくとも前記受信側が検出したパケットロス数と前記受信側が直前に受信したパケットのシーケンスナンバーとを受信し、再送パケットの受信状況として、少なくとも前記受信側が受信した再送パケットの数を受信することを特徴とする、請求項１０に記載のデータ送信方法。
【請求項１２】
前記受信報告受信ステップは、パケットの受信状況と再送パケットの受信状況とを、１つのパケットに格納された状態で受信することを特徴とする、請求項１０に記載のデータ送信方法。
【請求項１３】
送信側との間で、パケット化されたデータを実時間伝送するデータ受信方法であって、
前記送信側が各パケットにシーケンスナンバーを付加し、先に送信したパケットの受信を確認することなくパケットを送信した場合に、当該パケットを受信するパケット受信ステップと、
前記シーケンスナンバーを用いて、前記パケット受信ステップにおけるパケットロスを検出するパケットロス検出ステップと、
前記パケットロス検出ステップにおいてパケットロスが検出されたときに、再送要求を送信する再送要求送信ステップと、
前記送信側が前記再送要求に応じてパケットを再送した場合に、当該パケットを受信する再送パケット受信ステップと、
前記再送パケット受信ステップにおける再送パケットの受信状況を前記送信側に対して送信する受信報告送信ステップとを備えた、データ受信方法。
【請求項１４】
前記受信報告送信ステップは、前記パケット受信ステップにおけるパケットの受信状況を前記送信側に対して送信することを特徴とする、請求項１３に記載のデータ受信方法。
【請求項１５】
前記受信報告送信ステップは、パケットの受信状況として、少なくとも検出したパケットロス数と直前に受信したパケットのシーケンスナンバーとを送信し、再送パケットの受信状況として、少なくとも受信した再送パケットの数を送信することを特徴とする、請求項１４に記載のデータ受信方法。
【請求項１６】
前記受信報告送信ステップは、パケットの受信状況と再送パケットの受信状況とを１つのパケットに格納して送信することを特徴とする、請求項１４に記載のデータ受信方法。
【手続補正２】
【補正対象書類名】明細書
【補正対象項目名】００１４
【補正方法】変更
【補正の内容】
【００１４】
【課題を解決するための手段および発明の効果】
第１の発明は、受信装置との間で、パケット化されたデータを実時間伝送するデータ送信装置であって、
各パケットにシーケンスナンバーを付加するシーケンスナンバー付加手段と、
先に送信したパケットの受信を確認することなく、シーケンスナンバーを付加したパケットを送信するパケット送信手段と、
パケット送信手段からパケットを受信した受信装置が、シーケンスナンバーを用いてパケットロスを検出して再送要求を送信した場合に、当該再送要求に応じてパケットを再送するパケット再送手段と、
パケット再送手段によって再送されたパケットの受信状況を受信装置から受信する受信報告受信手段とを備える。
第２の発明は、第１の発明において、受信報告受信手段は、パケット送信手段によって送信されたパケットの受信状況を受信装置から受信することを特徴とする。
【手続補正３】
【補正対象書類名】明細書
【補正対象項目名】００１５
【補正方法】変更
【補正の内容】
【００１５】
このような第２の発明によれば、データを実時間伝送する場合に、再送パケットの受信状況は、パケットの受信や再送パケットの受信とは独立して、受信装置から送信装置へ報告される。したがって、データ伝送の実時間性を損なうことなく、送信装置は、受信装置における再送パケットの受信状況を知ることができる。このため、送信装置は、再送パケットの受信状況を用いて、データ伝送の制御を行うことができる。


【手続補正４】
【補正対象書類名】明細書
【補正対象項目名】００１６
【補正方法】変更
【補正の内容】
【００１６】
第３の発明は、第２の発明において、受信報告受信手段は、パケットの受信状況として、少なくとも受信装置が検出したパケットロス数と受信装置が直前に受信したパケットのシーケンスナンバーとを受信し、再送パケットの受信状況として、少なくとも受信装置が受信した再送パケットの数を受信することを特徴とする。


【手続補正５】
【補正対象書類名】明細書
【補正対象項目名】００１７
【補正方法】変更
【補正の内容】
【００１７】
このような第３の発明によれば、送信装置は、パケットの受信状況および再送パケットの受信状況として、最低限必要な情報を知ることができる。したがって、送信装置は、これらの値を用いて効率的にデータ伝送の制御を行うことができる。


【手続補正６】
【補正対象書類名】明細書
【補正対象項目名】００１８
【補正方法】変更
【補正の内容】
【００１８】
第４の発明は、第２の発明において、受信報告受信手段は、パケットの受信状況と再送パケットの受信状況とを、１つのパケットに格納された状態で受信することを特徴とする。


【手続補正７】
【補正対象書類名】明細書
【補正対象項目名】００１９
【補正方法】変更
【補正の内容】
【００１９】
このような第４の発明によれば、パケットの受信状況の報告に使用されるパケットに、再送パケットの受信状況を追加するだけで、容易に再送パケットの受信状況を知ることができる。


【手続補正８】
【補正対象書類名】明細書
【補正対象項目名】００２０
【補正方法】変更
【補正の内容】
【００２０】
第５の発明は、送信装置との間で、パケット化されたデータを実時間伝送するデータ受信装置であって、
送信装置が各パケットにシーケンスナンバーを付加し、先に送信したパケットの受信を確認することなくパケットを送信した場合に、当該パケットを受信するパケット受信手段と、
シーケンスナンバーを用いて、パケット受信手段におけるパケットロスを検出するパケットロス検出手段と、
パケットロス検出手段がパケットロスを検出したときに、再送要求を送信する再送要求送信手段と、
送信装置が再送要求に応じてパケットを再送した場合に、当該パケットを受信する再送パケット受信手段と、
再送パケット受信手段における再送パケットの受信状況を送信装置に対して送信する受信報告送信手段とを備える。
第６の発明は、第５の発明において、受信報告送信手段は、パケット受信手段におけるパケットの受信状況を送信装置に対して送信することを特徴とする。
【手続補正９】
【補正対象書類名】明細書
【補正対象項目名】００２１
【補正方法】変更
【補正の内容】
【００２１】
このような第６の発明によれば、データを実時間伝送する場合に、再送パケットの受信状況は、パケットの受信や再送パケットの受信とは独立して、受信装置から送信装置へ報告される。したがって、データ伝送の実時間性を損なうことなく、受信装置は、再送パケットの受信状況を報告することができる。このため、送信装置は、再送パケットの受信状況を用いて、データ伝送の制御を行うことができる。


【手続補正１０】
【補正対象書類名】明細書
【補正対象項目名】００２２
【補正方法】変更
【補正の内容】
【００２２】
第７の発明は、第６の発明において、受信報告送信手段は、パケットの受信状況として、少なくとも検出したパケットロス数と直前に受信したパケットのシーケンスナンバーとを送信し、再送パケットの受信状況として、少なくとも受信した再送パケットの数を送信することを特徴とする。


【手続補正１１】
【補正対象書類名】明細書
【補正対象項目名】００２３
【補正方法】変更
【補正の内容】
【００２３】
このような第７の発明によれば、受信装置は、パケットの受信状況および再送パケットの受信状況として、最低限必要な情報を報告することができる。したがって、送信装置は、これらの値を用いて効率的にデータ伝送の制御を行うことができる。


【手続補正１２】
【補正対象書類名】明細書
【補正対象項目名】００２４
【補正方法】変更
【補正の内容】
【００２４】
第８の発明は、第６の発明において、受信報告送信手段は、パケットの受信状況と再送パケットの受信状況とを１つのパケットに格納して送信することを特徴とする。


【手続補正１３】
【補正対象書類名】明細書
【補正対象項目名】００２５
【補正方法】変更
【補正の内容】
【００２５】
このような第８の発明によれば、パケットの受信状況の報告に使用されるパケットに、再送パケットの受信状況を追加するだけで、容易に再送パケットの受信状況を報告することができる。


【手続補正１４】
【補正対象書類名】明細書
【補正対象項目名】００２６
【補正方法】変更
【補正の内容】
【００２６】
第９の発明は、受信側との間で、パケット化されたデータを実時間伝送するデータ送信方法であって、
各パケットにシーケンスナンバーを付加するシーケンスナンバー付加ステップと、
先に送信したパケットの受信を確認することなく、シーケンスナンバーを付加したパケットを送信するパケット送信ステップと、
パケット送信ステップにおいて送信されたパケットを受信した受信側が、シーケンスナンバーを用いてパケットロスを検出して再送要求を送信した場合に、当該再送要求に応じてパケットを再送するパケット再送ステップと、
パケット再送ステップにおいて再送されたパケットの受信状況を受信側から受信する受信報告受信ステップとを備える。
第１０の発明は、第９の発明において、受信報告受信ステップは、パケット送信ステップにおいて送信されたパケットの受信状況を受信側から受信することを特徴とする。
【手続補正１５】
【補正対象書類名】明細書
【補正対象項目名】００２７
【補正方法】変更
【補正の内容】
【００２７】
このような第１０の発明によれば、データを実時間伝送する場合に、再送パケットの受信状況は、パケットの受信や再送パケットの受信とは独立して、受信側から送信側へ報告される。したがって、データ伝送の実時間性を損なうことなく、送信側は、受信側における再送パケットの受信状況を知ることができる。このため、送信側は、再送パケットの受信状況を用いて、データ伝送の制御を行うことができる。


【手続補正１６】
【補正対象書類名】明細書
【補正対象項目名】００２８
【補正方法】変更
【補正の内容】
【００２８】
第１１の発明は、第１０の発明において、受信報告受信ステップは、パケットの受信状況として、少なくとも受信側が検出したパケットロス数と受信側が直前に受信したパケットのシーケンスナンバーとを受信し、再送パケットの受信状況として、少なくとも受信側が受信した再送パケットの数を受信することを特徴とする。


【手続補正１７】
【補正対象書類名】明細書
【補正対象項目名】００２９
【補正方法】変更
【補正の内容】
【００２９】
このような第１１の発明によれば、送信側は、パケットの受信状況および再送パケットの受信状況として、最低限必要な情報を知ることができる。したがって、送信側は、これらの値を用いて効率的にデータ伝送の制御を行うことができる。


【手続補正１８】
【補正対象書類名】明細書
【補正対象項目名】００３０
【補正方法】変更
【補正の内容】
【００３０】
第１２の発明は、第１０の発明において、受信報告受信ステップは、パケットの受信状況と再送パケットの受信状況とを、１つのパケットに格納された状態で受信することを特徴とする。


【手続補正１９】
【補正対象書類名】明細書
【補正対象項目名】００３１
【補正方法】変更
【補正の内容】
【００３１】
このような第１２の発明によれば、パケットの受信状況の報告に使用されるパケットに、再送パケットの受信状況を追加するだけで、容易に再送パケットの受信状況を知ることができる。


【手続補正２０】
【補正対象書類名】明細書
【補正対象項目名】００３２
【補正方法】変更
【補正の内容】
【００３２】
第１３の発明は、送信側との間で、パケット化されたデータを実時間伝送するデータ受信方法であって、
送信側が各パケットにシーケンスナンバーを付加し、先に送信したパケットの受信を確認することなくパケットを送信した場合に、当該パケットを受信するパケット受信ステップと、
シーケンスナンバーを用いて、パケット受信ステップにおけるパケットロスを検出するパケットロス検出ステップと、
パケットロス検出ステップにおいてパケットロスが検出されたときに、再送要求を送信する再送要求送信ステップと、
送信側が再送要求に応じてパケットを再送した場合に、当該パケットを受信する再送パケット受信ステップと、
再送パケット受信ステップにおける再送パケットの受信状況を送信側に対して送信する受信報告送信ステップとを備える。
第１４の発明は、第１３の発明において、受信報告送信ステップは、パケット受信ステップにおけるパケットの受信状況を送信側に対して送信することを特徴とする。
【手続補正２１】
【補正対象書類名】明細書
【補正対象項目名】００３３
【補正方法】変更
【補正の内容】
【００３３】
このような第１４の発明によれば、データを実時間伝送する場合に、再送パケットの受信状況は、パケットの受信や再送パケットの受信とは独立して、受信側から送信側へ報告される。したがって、データ伝送の実時間性を損なうことなく、受信側は、再送パケットの受信状況を報告することができる。このため、送信側は、再送パケットの受信状況を用いて、データ伝送の制御を行うことができる。


【手続補正２２】
【補正対象書類名】明細書
【補正対象項目名】００３４
【補正方法】変更
【補正の内容】
【００３４】
第１５の発明は、第１４の発明において、受信報告送信ステップは、パケットの受信状況として、少なくとも検出したパケットロス数と直前に受信したパケットのシーケンスナンバーとを送信し、再送パケットの受信状況として、少なくとも受信した再送パケットの数を送信することを特徴とする。


【手続補正２３】
【補正対象書類名】明細書
【補正対象項目名】００３５
【補正方法】変更
【補正の内容】
【００３５】
このような第１５の発明によれば、受信側は、パケットの受信状況および再送パケットの受信状況として、最低限必要な情報を報告することができる。したがって、送信側は、これらの値を用いて効率的にデータ伝送の制御を行うことができる。


【手続補正２４】
【補正対象書類名】明細書
【補正対象項目名】００３６
【補正方法】変更
【補正の内容】
【００３６】
第１６の発明は、第１４の発明において、受信報告送信ステップは、パケットの受信状況と再送パケットの受信状況とを１つのパケットに格納して送信することを特徴とする。


【手続補正２５】
【補正対象書類名】明細書
【補正対象項目名】００３７
【補正方法】変更
【補正の内容】
【００３７】
このような第１６の発明によれば、パケットの受信状況の報告に使用されるパケットに、再送パケットの受信状況を追加するだけで、容易に再送パケットの受信状況を報告することができる。